(57)【要約】【課題】簡単な構造で、再利用が可能であり、自由に高さを変えることができる仮設間仕切構造を提供する。【解決手段】天井に押し付けられる細長い天井長尺部材２２と、天井長尺部材２２を床５８から天井５４に向かって押し付けて保持する支柱３４と、天井長尺部材２２と天井５４に上端部が保持され下端部が支柱３４と床５８に狭持され略垂直方向に保持されるシート５６を有する。支柱３４には、天井長尺部材２２を保持する取付部３６と、取付部３６が一端に設けられた棒状の差込部３８と、差込部３８が摺動可能に挿通される筒状の本体４２と、差込部３８と本体４２を任意の重なり長さで係止するボルトナット等の係止手段とを有する。【選択図】　　　　図１
2004107986.tif 000002
【特許請求の範囲】
【請求項１】
天井に押し付けられる細長い天井長尺部材と、上記天井長尺部材を床から天井に向かって押しつけて保持する支柱と、上記天井長尺部材と上記天井に上端部が保持され下端部が上記支柱と上記床に狭持され略垂直方向に保持されるシートが設けられ、上記支柱には、上記天井長尺部材を保持する取付部と、上記取付部が一端に設けられた棒状の差込部と、上記差込部が摺動可能に挿通される筒状の本体と、上記差込部と上記本体を任意の重なり長さで係止する係止手段とが設けられていることを特徴とする仮設間仕切構造。
【請求項２】
上記係止手段には、上記差込部に長手方向に対して略直角に貫通して形成された第一透孔と、上記本体に長手方向に対して略直角に貫通して形成された第二透孔と、上記第一透孔と上記第二透孔が互いに一致した時に貫通して差し込まれ互いを係止する係止部材が設けられ、上記第一透孔と上記第二透孔は、上記差込部または上記本体の長手方向に沿って複数個が形成され、上記差込部と上記本体は任意の重なり長さの位置で上記係止部材を差し込んで互いに係止され、上記本体には上記床に当接する高さ調整手段が設けられたことを特徴とする請求項１記載の仮設間仕切構造。
【請求項３】
上記仮設間仕切構造は、クリーンルーム内に設けられ、上記クリーンルーム内の一部を密封状態で区切ることが可能な請求項１または２記載の仮説間仕切構造。
【請求項４】
上記天井長尺部材一端部は、他の天井長尺部材の他端部に一部が差し込まれて連結されることを特徴とする請求項１または２記載の仮設間仕切構造。
【発明の詳細な説明】
【０００１】
【発明の属する技術分野】
この発明は、クリーンルーム等の空間を任意の範囲で区切る仮設間仕切構造に関する。
【０００２】
【従来の技術】
【特許文献１】特開平１０−２４５９１９号公報
従来、例えば半導体工場等の清浄な作業環境を必要とする空間においては、クリーンルールが設置されている。このクリーンルーム内で補修工事等を行う場合や生産装置を搬入する際には、クリーンルーム内の工事現場や搬入経路に、部分的且つ簡易な間仕切りを設け、粉塵がクリーンルーム全体に拡散することを防いでいた。このような簡易な間仕切りとして、従来、図４に示すような仮設間仕切構造１がある。仮設間仕切構造１は、クリーンルームの天井に押しつけられる四角筒状の長尺部材である天井長尺部材２と、天井長尺部材２を床から天井に向かって付勢して支持する複数本の支柱３と、天井長尺部材２とクリーンルームの天井に上端縁部４ａが挟持され、支柱３と床に下端縁部４ｂが挟持されクリーンルームをほぼ垂直に仕切るシート４が設けられている。
【０００３】
天井長尺部材２は、断面形状が矩形の内装間仕切材により形成され、支柱３は各部材が鉄やステンレス等で形成されている。支柱３には、天井長尺部材２の三つの側面をわずかなゆとりを有して保持するコの字形の取付部５が設けられている。取付部５の底部５ａの外側には、ネジボルト６が底部５ａに対してほぼ直角に取り付けられている。ネジボルト６の先端部は、矩形の板状の取付金具１５ａが溶接された第一パイプ８内に位置する。取り付け金具１５ａの中央部には透孔が形成され、この透孔の周囲に同軸にナット７が溶接されている。そして、ネジボルト６の先端部はナット７に螺合している。第一パイプ８の他端部には、雌アダプタ９が溶接等で固定されている。そして、雌アダプタ９の内側の雌ネジには、調整用短管１０が螺合されている。調整用短管１０の両端部には、雄ネジ１１，１２がそれぞれ形成され、一方の雄ネジ１１は雌アダプタ９に螺合されている。他方の雄ネジ１２には、他の雌アダプタ１４を介して第二パイプ１３が連結されている。第二パイプ１３と雌アダプタ１４は溶接等で固定されている。そして、第二パイプ１３の他方の端部には、矩形の板状の取付金具１５ｂが溶接等で固定されている。取付金具１５ｂの中心には透孔が形成され、この透孔の周囲に同軸にナット１６が溶接されている。ナット１６にはネジボルト１７が螺合されて取り付けられ、ネジボルト１７の先端には、円板状の設置基材１８がネジボルト１７に対してほぼ直角に固定されている。
【０００４】
次に、上記従来の仮設間仕切構造１の組立方法について説明する。まず、支柱３を倒した状態で支柱３の高さを、クリーンルームの床から天井までの長さに調整する。調整方法は、支柱３の調整用短管１０を適宜の長さに切断し、第一パイプ８と第二パイプ１３との、螺合する量を調整する。次にシート４の上端部４ａを、天井長尺部材２にほぼ半周して巻き回す。そして天井長尺部材２を、支柱３の取付部５の内側に嵌合させる。このとき、シート４の上端縁部４ａが取付部５の底部５ａに位置し、シート４が取付部５の内側で天井長尺部材２に巻き回されて、天井長尺部材２の上面に露出し、側方へ垂れる向きにする。この後、支柱３を起こして、垂直状態にする。ここで、支柱３は、図５に示すように一本の天井長尺部材２の両端部に各々設置される。一対の天井長尺部材２は、端部同士を対向させて隣接し、連続して所定の長さに設ける。
【０００５】
支柱３がほぼ垂直に立設された後、支柱３の取付部５に保持された天井長尺部材２は、クリーンルームの天井に当接しシート４の上端部４ａ付近を狭持する。次に、第二パイプ１３に対してネジボルト１７を回転させ、天井と床の距離よりも短くし設置基材１８と床の間に隙間を作り、この隙間からシート４の下端部４ｂを通過させ、設置基材１８の下にシート４を敷く。この状態で、一対のネジボルト６，１７を回転させて、ぴったりと床と天井に適度な力で押圧するように、支柱３の長さを微調整する。これにより、シート４は、上端部４ａを天井と天井長尺部材２に保持され、下端部４ｂは床と設置基材１８に保持され、ピンと張った状態でほぼ垂直に保持される。これにより、クリーンルームを区切る間仕切となる。この仮設間仕切構造１は、使用後はほとんど廃棄処分されるものであった。
【０００６】
また、特許文献１に開示されているような、クリーンルーム内の間仕切り機構も提案されている。この間仕切り機構は、フレーム材を格子状に構成した天井フレームと、天井フレームの交差位置と床間に設置する間仕切り支柱と、ビニールシート等の気密幕材と、この気密幕材をフレーム材に取り付けるファスナー等の取付部材とから成るものである。
【０００７】
【発明が解決しようとする課題】
上記従来の技術の前者の場合、施工箇所のクリーンルームによって天井高さが異なるため、その都度対応する必要があり、調整用短管１０を適した長さに切断するなど、手間がかかっていた。さらに、使用後は廃棄処分しているため、廃棄物が発生してコストがかかり、資源の無駄となっていた。また、支柱３を廃棄処分しない場合、第一パイプ８、調整用短管１０、第二パイプ１３から成る支柱は、部品点数が多いため、保管時等に紛失することがあり、管理が困難であった。また、第二パイプ１３の側面から取付金具１５の角部が側方へ突出しているため、シート４を破損することがあるという問題もあった。さらに、天井長尺部材２の継ぎ目部分には、支柱３が一対必要であり、支柱３の本数が多くなるという問題もあった。
【０００８】
また上記従来の技術の後者の場合先ず天井構造が、フレーム材を格子状に構成した天井フレームであり、この格子状の天井フレームにファンフィルタを設置する構造が前提となっている。従って、この天井構造に簡易間仕切りを設置する場合、この従来技術に開示された形状の天井フレームと間仕切柱でなければならず、このような天井構造でない場合天井フレーム自体を交換しなければならない。
【０００９】
また、クリーンルーム内で天井面積の一部に最終フィルタを設置する場合、下面が面一のパネル天井構造にすることがあるが、この場合天井フレームが天井下面にないので、簡易間仕切りを設置できない。また、上記従来の技術では、天井の高さが異なる場合の調節手段もない。
【００１０】
この発明は上記従来の問題点に鑑みてなされたものであり、簡単な構造で、再利用が可能であり、自由に高さを変えることができる仮設間仕切構造を提供することを目的とする。
【００１１】
【課題を解決するための手段】
この発明は、天井に押し付けられる細長い天井長尺部材と、上記天井長尺部材を床から天井に向かって押しつけて保持する支柱と、上記天井長尺部材と上記天井に上端部が保持され下端部が上記支柱と上記床に狭持され略垂直方向に保持されるシートが設けられ、上記支柱には、上記天井長尺部材を保持する取付部と、上記取付部が一端に設けられた棒状の差込部と、上記差込部が摺動可能に挿通される筒状の本体と、上記差込部と上記本体を任意の重なり長さで係止する係止手段とが設けられている仮設間仕切構造である。
【００１２】
また、上記係止手段には、上記差込部に長手方向に対して略直角に貫通して形成された第一透孔と、上記本体に長手方向に対して略直角に貫通して形成された第二透孔と、上記第一透孔と上記第二透孔が互いに一致した時に貫通して差し込まれ互いを係止する係止部材が設けられ、上記第一透孔と上記第二透孔は、上記差込部または上記本体の長手方向に沿って複数個が形成され、上記差込部と上記本体は任意の重なり長さの位置で上記係止部材を差し込んで互いに係止されるものである。上記本体には、上記床に当接する高さ調整手段が設けられている。
【００１３】
上記仮設間仕切構造は、クリーンルーム内に設けられ、上記クリーンルーム内の一部を密封状態で区切ることが可能なものである。
【００１４】
また、上記天井長尺部材一端部は、他の天井長尺部材の他端部に一部が差し込まれて連結されるものである。
【００１５】
この発明の仮設間仕切構造は、クリーンルーム等の天井高さに合わせて上記支柱の上記差込部と上記本体の重なり長さを任意に変更し、上記差込部と上記本体を互いに係止する。これにより、天井高さに合わせて上記支柱の高さを、簡単に変更することができる。
【００１６】
【発明の実施の形態】
以下、この発明の実施形態について図面に基づいて説明する。図１〜図３はこの発明の一実施形態を示すものであり、この実施形態の仮設間仕切構造２０は、クリーンルームの天井５４に押し付けて設置する天井長尺部材２２が設けられている。天井長尺部材２２は、図２に示すように、断面が四角筒状の長尺部材であり、例えば１辺が５０ｍｍの四角筒で２．５ｍ長さに設けられ、アルミ等の内装間仕切材で設けられている。天井長尺部材２２の一方の端部２２ａには、隣接する天井長尺部材２２の端部２２ｂの内側に嵌合される連結筒部２４が、長手方向に沿って外側に突出して設けられている。連結筒部２４は、例えば１辺が４５ｍｍの四角筒である。これにより、天井長尺部材２２の肉厚が２．５ｍｍの場合、連結筒部２４がぴったりと隣接する天井長尺部材２２の端部２２ｂの内側に嵌合される。連結筒部２４の互いに対向する一対の側面には、互いに対向する位置に透孔２６が各々形成されている。天井長尺部材２２の、他方の端部２２ｂには、隣接する天井長尺部材２２の端部２２ａの連結筒部２４が差し込まれた時に透孔２６に連通する一対の透孔２８が設けられている。そして、透孔２６，２８には、ボルト３０が挿通される。ボルト３０の先端は天井長尺部材２２の反対側に突出し、突出したボルト３０の先端には蝶ナット３２が螺合され、一対の天井長尺部材２２が連結されている。
【００１７】
そして、天井長尺部材２２の下には、天井長尺部材２２を支持する支柱３４が設けられている。支柱３４は、例えばアルミ製である。そして支柱３４には、天井長尺部材２２の三つの側面をわずかなゆとりを有して嵌合するコの字形の取付部３６が設けられている。取付部３６の底部３６ａ外側には、断面が四角筒状の差込部３８が一体に溶接等で設けられている。差込部３８は、例えば１辺が４５ｍｍの四角筒である。そして差込部３８の長手方向が、取付部３６の底部３６ａに対してほぼ直角に位置するように取り付けられている。差込部３８の一対の側面３８ａ，３８ｂには、互いに対向する第一透孔４０が設けられている。第一透孔４０は、差込部３８の長手方向に沿って、等間隔、例えば５ｍｍピッチで複数個形成されている。
【００１８】
そして、差込部３８の先端部は、差込部３８の断面形状よりわずかに大きい四角筒状の本体４２の内側に摺動可能に挿入されている。本体４２は、例えば５０ｍｍの四角筒であり、肉厚が２．５ｍｍである。本体４２の一方の側面４２ａ，４２ｂには、差込部３８の第一透孔４０に連通する第二透孔４４が設けられている。第二透孔４４は、本体４２の長手方向に沿って、第一透孔４０と同じ間隔で複数個形成されている。そして差込部３８は、本体４２の第二透孔４４と差込部３８の第一透孔４０が一致する適当な位置まで差し込まれ、一致した第一透孔４０と第二透孔４４のうち、二組にそれぞれ係止手段であるボルト４６が差し込まれている。ボルト４６の先端は本体４２の反対側に突出し、突出したボルト４６の先端には蝶ナット４８が螺合され、本体４２と差込部３８が連結されている。
【００１９】
また、本体４２の下方の端部４２ｃには、本体４２の中空部を閉鎖する図示しない底部が形成され、底部には高さ調整手段であるネジボルト５０が螺合されて取り付けられている。ネジボルト５０の先端には、設置基材５２がネジボルト５０に対してほぼ直角に固定されている。設置基材５２は、例えば樹脂製やゴム製である。
【００２０】
そして、天井長尺部材２２に保持され床まで垂れ下がってクリーンルームを仕切るシート５６が設けられている。シート５６は、ビニール製など粉塵が発生しにくい素材であれば良く、また透明でも不透明でも良い。シート５６の上端部５６ａは、天井長尺部材２２とクリーンルームの天井５４に狭持され、またシート５６の下端部５６ｂは、支柱３４の設置基材５２と床５８に狭持され、クリーンルーム内に密閉された状態でほぼ垂直方向に保持されている。また、シート下端部５６ｂは、設置基材５２と床５８間に設置基材５２と略同寸幅の板で全長に渡って押さえるように挟持されても良い。図１では、一枚のシート５６を図示しているが、実際は複数枚のシート５６を連接して設け、間仕切としている。
【００２１】
次に、仮設間仕切構造２０の組立方法について、図３に基づいて説明する。まず、支柱３４を倒した状態で支柱３４の高さを、クリーンルームの床５８から天井５４までの長さに調整する。調整方法は、支柱３４の本体４２と差込部３８の差込量を変え、クリーンルームの床５８から天井５４までの長さに近い位置で、互いに連通する第一透孔４０，第二透孔４４に一対のボルト４６を挿通し、ボルト４６の先端に蝶ナット４８を螺合させて連結する。次にシート５６の上端部５６ａを天井長尺部材２２にほぼ半周して巻き回す。そして天井長尺部材２２を支柱３４の取付部３６の内側に嵌合させる。このときシート５６の上端部５６ａが取付部３６の底部３６ａに位置し、シート５６が取付部３６の内側で天井長尺部材２２に巻き回されて、天井長尺部材２２の上面に露出し通過して側方へ垂れる向きにする。そして支柱３４を起こす。支柱３４がほぼ垂直に立設された時、支柱３４の取付部３６に保持された天井長尺部材２２は、クリーンルームの天井５４に当接しシート５６の上端部５６ａ付近を狭持する。次に、ネジボルト５０を少しゆるめて設置基材５２と床５８の間に隙間を作る。この隙間から、シート５６の下端部５６ｂを通過させ、設置基材５２の下にシート５６を敷く。この状態でネジボルト５０を調節して、ぴったりと床５８と天井５４に適度な力で押圧するように、支柱３４の長さを微調整する。これにより、シート５６は、上端部５６ａを天井５４と天井長尺部材２２に保持され、下端部５６ｂは床５８と設置基材５２に保持され、ピンと張った状態でほぼ垂直に保持される。そして、クリーンルームを区切る間仕切となる。
【００２２】
この実施形態の仮設間仕切構造２０によれば、簡単な構造で少ない部品点数であり、クリーンルームを確実に区切ることができる。そして、クリーンルーム室内で補修工事を行う際や、生産装置を搬入する際に発生する粉塵が、クリーンルーム全体に拡散することを防ぐ。支柱３４の高さは簡単に変更することができ、いろいろな高さの天井５４に対応することができる。そして再利用が可能であり、廃棄することが無く、廃棄の手間やコストがかからず環境に配慮したものである。また、支柱３４は高さ調整機能が一体化し、保管や運搬の際に部品が紛失することが無く、管理が容易である。そして、天井長尺部材２２は互いに連結されて一本の長尺部材となるため、支柱３４は天井長尺部材２２を等間隔に、例えば２ｍピッチで保持するのみで良く、支柱３４の本数を減らすことができる。支柱３４と天井長尺部材２２は、アルミ製であるため、錆が発生せずクリーンであり、また軽量であるため取り扱いが容易である。まして、設置基材５２はゴム製であり、シート５６を傷つけることが無く、安全である。
【００２３】
なお、この発明の仮設間仕切構造は上記実施の形態に限定されるものではなく、各部材の素材や形状は自由に変更可能である。ボルトを差し込む透孔の数やボルトの数は、任意に設定可能である。またこの発明は、クリーンルームに限らず、いろいろな場所の間仕切に使用することができる。
【００２４】
【発明の効果】
この発明の仮設間仕切構造によれば、簡単な構造で部品点数が少なく、クリーンルーム等の空間を容易且つ確実に区切ることができる。特に、支柱の高さ調節が容易であり、いろいろな高さの空間に対応することができる。そして、再利用が可能であり、廃棄することが無く、廃棄の手間やコストがかからず、管理も容易である。また、天井長尺部材は互いに連結されて一本の長尺部材となるため、支柱の本数を減らすことができる。
【図面の簡単な説明】
【図１】この発明の一実施形態の仮設間仕切構造の斜視図である。
【図２】この実施形態の仮設間仕切構造の天井長尺部材の斜視図である。
【図３】この実施形態の仮設間仕切構造の組立方法を示す正面図である。
【図４】従来の仮設間仕切構造の斜視図である。
【図５】従来の仮設間仕切構造の天井長尺部材の斜視図である。
【符号の説明】
２０　仮設間仕切構造
２２　天井長尺部材
２４　連結筒部
２６，２８　透孔
３０，４６　ボルト
３２，４８　蝶ナット
３４　支柱
３６　取付部
３８　差込部
４０　第一透孔
４２　本体
４４　第二透孔
５０　ネジボルト
５２　設置基材
５４　天井
５６　シート
５８　床
【図１】
2004107986.tif 000003
【図２】
2004107986.tif 000004
【図３】
2004107986.tif 000005
【図４】
2004107986.tif 000006
【図５】
2004107986.tif 000007